(57)【特許請求の範囲】
【請求項１】
槽体１の底面に開口された排水口２と、
排水口２に設置されて、自身の上下動によって排水口２の開口／閉口を行う弁蓋６と、
排水口２内に支持されて配置され、弁蓋６の上下動の動作を支持するロック機構が内蔵されているメカボックス３と、
から構成される遠隔操作式排水栓装置において、
前記メカボックス３内部に上下動自在に配置され、且つ弁蓋６がその上部に着脱可能に取り付けられる支持軸３１と、
前記メカボックス３内に配置され、前記支持軸３１を上下動自在にガイドする支持軸ケース３２と、
前記支持軸ケース３２に支持軸３１を緩衝するショックアブソーバー４を内蔵したことを特徴とする遠隔操作式排水栓装置。
【請求項２】
槽体１の底面に開口された排水口２と、
排水口２に設置されて、自身の上下動によって排水口２の開口／閉口を行う弁蓋６と、
排水口２内に支持されて配置され、弁蓋６の上下動の動作を支持するロック機構が内蔵されているメカボックス３と、
から構成される遠隔操作式排水栓装置において、
前記メカボックス３内部に上下動自在に配置され、且つ弁蓋６がその上部に着脱可能に取り付けられる支持軸３１と、
前記メカボックス３内部に上下動自在に配置され、前記支持軸３１を上下動自在にガイドする支持軸ケース３２と、
前記支持軸ケース３２に支持軸３１を緩衝するショックアブソーバー４を内蔵したことを特徴とする遠隔操作式排水栓装置。
【請求項３】
槽体１の底面に開口された排水口２と、
排水口２に設置されて、自身の上下動によって排水口２の開口／閉口を行う弁蓋６と、
排水口２内に支持されて配置され、弁蓋６の上下動の動作を支持するロック機構が内蔵されているメカボックス３と、
から構成される遠隔操作式排水栓装置において、
前記メカボックス３内部に上下動自在に配置され、且つ弁蓋６がその上部に着脱可能に取り付けられる支持軸３１と、
前記メカボックス３内に配置され、前記支持軸３１を上下動自在にガイドする支持軸ケース３２と、
前記支持軸３１及び支持軸ケース３２に支持軸３１を緩衝するショックアブソーバー４を内蔵したことを特徴とする遠隔操作式排水栓装置。
【請求項４】
前記支持軸３１を円筒状に形成し、当該支持軸３１の内周に適宜収納されるガイド軸３３を構成したことを特徴とする前記請求項１乃至請求項３のいずれか一つに記載の遠隔操作式排水栓装置。
【請求項５】
前記支持軸３１の上下動を遠隔的に操作する操作部８と、
該操作部８とメカボックス３までを連絡する中空状の管体から成るアウターチューブ７１、アウターチューブ７１内に進退自在に配置されるインナーワイヤ７２、とから成るレリースワイヤ７と、
前記支持軸３１を常時下方へと付勢するリターンスプリング５を前記メカボックス３内に配置すると共に、当該インナーワイヤ７２先端と、支持軸３１もしくはガイド軸３３もしくは支持軸ケース３２を切り離して接続したことを特徴とする前記請求項１乃至請求項４のいずれか一つに記載の遠隔操作式排水栓装置。
【請求項６】
前記支持軸３１の上下動を遠隔的に操作する操作部８と、
該操作部８とメカボックス３までを連絡する中空状の管体から成るアウターチューブ７１、アウターチューブ７１内に進退自在に配置されるインナーワイヤ７２、とから成るレリースワイヤ７と、
前記インナーワイヤ７２を操作部８側へと後退させる為のリターンスプリング５をレリースワイヤ７内部もしくは操作部８内に配置すると共に、当該インナーワイヤ７２先端と、支持軸３１もしくはガイド軸３３もしくは支持軸ケース３２のいずれか一つとを連結して接続したことを特徴とする前記請求項１乃至請求項４のいずれか一つに記載の遠隔操作式排水栓装置。
【発明の詳細な説明】
【技術分野】
【０００１】
本発明は、浴槽や洗面台等の排水口の弁体を遠隔的に開閉する遠隔操作式排水栓装置に関する発明である。
【背景技術】
【０００２】
従来から、図１０に示したような浴槽や洗面台などの槽体の排水口に弁体を設け、図１１に示したように槽体の上縁に構成された操作部の操作により弁体を上下動させ、槽体内の排水を排水／止水する遠隔操作式排水栓装置がよく知られている。
この遠隔操作式排水栓装置は以下のようである。
浴槽としての槽体と、排水口と、排水栓と、弁蓋と、操作部と、メカボックスと、レリースワイヤと、から構成される。
槽体は箱体であって、底部に排水口を開口して成る。また本従来例では浴室に設けられる浴槽を槽体とする。
排水口は、浴槽底部に開口された孔であって、当該排水口より槽体内の排水を行う。また、後記する排水栓を備える。
排水栓は、外周にネジを螺設し、かつ上端に外側方向へ飛び出すフランジを有した部材であり、前記弁蓋の着座面を構成する。また、当該排水栓は排水用配管部材である例えばエルボ部材や排水トラップなどを介して、最終的には下水道管へ接続される。
弁蓋は、排水口及び排水栓を閉栓／開栓する部材であって、弁蓋が排水栓に着座すれば排水口を閉栓し、弁蓋が上昇すれば排水口が開栓するようになっている。
操作部は、浴槽の上縁部に構成される押しボタンであって、使用者が適宜押動操作を行うことにより前記弁蓋が上昇／下降するように構成される。また、操作部には、後述するレリースワイヤのインナーワイヤの操作部の操作による進行を退行させる為のリターンスプリングを内蔵する。このリターンスプリングは、常時伸張方向へ付勢しており、インナーワイヤを常時操作部側へ引き戻すよう備えられる。
レリースワイヤは、操作部から排水口まで接続される部材であって、内部が中空の可撓管のアウターチューブと、アウターチューブ内を進退自在に配置される金属コイル線のインナーワイヤと、から構成される。尚、アウターチューブは操作部から後記するメカボックス下端まで接続され、インナーワイヤは操作部の軸から後記するメカボックスの支持軸まで連結接続されて構成される。
メカボックスは、円筒状の箱体であって、内部に弁蓋に接続される支持軸を内蔵している。メカボックス内部は支持軸の上昇／下降をロックするロック機構を内蔵しており、当従来例ではボールペン芯のノック構造で採用されるスラストロック機構が内蔵される。当該スラストロック機構は、メカボックス内周に切り溝及び回転カム面、メカボックス内面の上方に構成された回転カム面とが構成される。また、メカボックスは、排水栓に取り付けられる固定部材により排水口中心部に配置固定される。
支持軸は、メカボックス内に上下動自在に配置され、上端は弁蓋に接続され、下端はレリースワイヤのインナーワイヤ先端が接続される。
【０００３】
前記した従来の遠隔操作式排水栓装置は以下のように作動する。
弁蓋が排水口に着座している際に、使用者が操作部を押動すると、操作部の操作に併せてレリースワイヤのインナーワイヤがアウターチューブ内を進行し、排水口のメカボックス支持軸に作用する。すると支持軸はインナーワイヤの進行に併せて上昇し、スラストロック機構が支持軸の上昇をロックする。そうすると支持軸の上昇に併せて支持軸上端に接続された弁蓋が上昇することになり、排水口が開栓する。またこのとき、操作部のリターンスプリングはインナーワイヤが進行した分圧縮されることとなる。
また、更に使用者が操作部を押動すると、操作部からレリースワイヤのインナーワイヤが少し進行し、インナーワイヤが連結している支持軸が少し上昇し、スラストロック機構のロックを解除する。ロックが解除されると操作部の圧縮されていたリターンスプリングが外側方向へ弾発して付勢し、リターンスプリングの付勢力によりインナーワイヤが操作部側へ進行していた分後退することとなる。インナーワイヤが後退すると、インナーワイヤ先端に接続された支持軸も下降し、更に支持軸に接続された弁蓋も併せて下降して排水栓（排水口）に着座する。こうして排水口は弁蓋により閉栓することとなる。
また、当該操作の繰り返しにより弁蓋の上下動が繰り返される。
【０００４】
前記した従来の遠隔操作式排水栓装置は以下のような排水の流れである。
弁蓋が下降して排水栓に着座し、且つ排水口を閉栓している時は、排水口が閉栓されているので浴槽内に排水が貯水される。また、この状態から使用者が操作部を操作すると排水口の弁蓋が上昇し、排水口が開栓する。すると開栓した排水口から浴槽内の排水は排水されて、浴槽下に配置されるエルボ部材や、洗い場に配置される排水トラップを介して最終的には下水管へと排水される。
このようにして浴槽内の排水は下水へと排水される。
【０００５】
しかし、従来の遠隔操作式排水栓装置には以下のような問題点があった。
当該遠隔操作式排水栓装置は浴槽や洗面ボウル内の底部にある排水口に弁蓋が構成されるため、当然使用者が踏むことがあったり、例えば清掃時にバケツ等を置くこともある。弁蓋が上昇時に使用者が踏んだり、さらには弁蓋が閉口していたとしても、使用者やバケツなどで弁蓋を踏んだ状態で、操作部の押動操作を行ってしまうことにより、支持軸に過大な応力が加わることがあった。
また、このような過大な応力が発生した際、排水口内部に支持軸のロック機構であるメカボックスを配置していることから、支持軸の応力がメカボックスのロック機構に直接的に加わり、ロック機構自体を応力により破壊してしまっていた。このように、排水口内部にメカボックスが備えられるタイプの従来の遠隔操作式排水栓装置においては、支持軸に対する過大な応力が加えられた際の対策が何らとられていなかった。
【先行技術文献】
【特許文献】
【０００６】
【特許文献１】特開２００４−１１６２１３号公報
【発明の概要】
【発明が解決しようとする課題】
【０００７】
排水口内部にメカボックスを備える遠隔操作式排水栓装置において、メカボックス内部の支持軸のロック機構の故障や破損を防ぎ、故障のない遠隔操作式排水栓装置を提供する。
【課題を解決するための手段】
【０００９】
請求項１に記載の遠隔操作式排水栓装置は、槽体１の底面に開口された排水口２と、排水口２に設置されて、自身の上下動によって排水口２の開口／閉口を行う弁蓋６と、排水口２内に支持されて配置され、弁蓋６の上下動の動作を支持するロック機構が内蔵されているメカボックス３と、から構成される遠隔操作式排水栓装置において、前記メカボックス３内部に上下動自在に配置され、且つ弁蓋６がその上部に着脱可能に取り付けられる支持軸３１と、前記メカボックス３内に配置され、前記支持軸３１を上下動自在にガイドする支持軸ケース３２と、前記支持軸ケース３２に支持軸３１を緩衝するショックアブソーバー４を内蔵したことを特徴とする遠隔操作式排水栓装置である。
【００１０】
請求項２に記載の遠隔操作式排水栓装置は、
槽体１の底面に開口された排水口２と、排水口２に設置されて、自身の上下動によって排水口２の開口／閉口を行う弁蓋６と、排水口２内に支持されて配置され、弁蓋６の上下動の動作を支持するロック機構が内蔵されているメカボックス３と、から構成される遠隔操作式排水栓装置において、前記メカボックス３内部に上下動自在に配置され、且つ弁蓋６がその上部に着脱可能に取り付けられる支持軸３１と、前記メカボックス３内部に上下動自在に配置され、前記支持軸３１を上下動自在にガイドする支持軸ケース３２と、前記支持軸ケース３２に支持軸３１を緩衝するショックアブソーバー４を内蔵したことを特徴とする遠隔操作式排水栓装置である。
【００１１】
請求項３に記載の遠隔操作式排水栓装置は、槽体１の底面に開口された排水口２と、排水口２に設置されて、自身の上下動によって排水口２の開口／閉口を行う弁蓋６と、排水口２内に支持されて配置され、弁蓋６の上下動の動作を支持するロック機構が内蔵されているメカボックス３と、から構成される遠隔操作式排水栓装置において、前記メカボックス３内部に上下動自在に配置され、且つ弁蓋６がその上部に着脱可能に取り付けられる支持軸３１と、前記メカボックス３内に配置され、前記支持軸３１を上下動自在にガイドする支持軸ケース３２と、前記支持軸３１及び支持軸ケース３２に支持軸３１を緩衝するショックアブソーバー４を内蔵したことを特徴とする遠隔操作式排水栓装置である。
【００１２】
請求項４に記載の遠隔操作式排水栓装置は、前記支持軸３１を円筒状に形成し、当該支持軸３１の内周に適宜収納されるガイド軸３３を構成したことを特徴とする前記段落０００９乃至段落００１１のいずれか一つに記載の遠隔操作式排水栓装置である。
【００１３】
請求項５に記載の遠隔操作式排水栓槽は、前記支持軸３１の上下動を遠隔的に操作する操作部８と、該操作部８とメカボックス３までを連絡する中空状の管体から成るアウターチューブ７１、アウターチューブ７１内に進退自在に配置されるインナーワイヤ７２、とから成るレリースワイヤ７と、前記支持軸３１を常時下方へと付勢するリターンスプリング５を前記メカボックス３内に配置すると共に、当該インナーワイヤ７２先端と、支持軸３１もしくはガイド軸３３もしくは支持軸ケース３２を切り離して接続したことを特徴とする前記段落０００９乃至段落００１２のいずれか一つに記載の遠隔操作式排水栓装置である。
【００１４】
請求項６に記載の遠隔操作式排水栓装置は、前記支持軸３１の上下動を遠隔的に操作する操作部８と、該操作部８とメカボックス３までを連絡する中空状の管体から成るアウターチューブ７１、アウターチューブ７１内に進退自在に配置されるインナーワイヤ７２、とから成るレリースワイヤ７と、前記インナーワイヤ７２を操作部８側へと後退させる為のリターンスプリング５をレリースワイヤ７内部もしくは操作部８内に配置すると共に、当該インナーワイヤ７２先端と、支持軸３１もしくはガイド軸３３もしくは支持軸ケース３２のいずれか一つとを連結して接続したことを特徴とする前記段落０００９乃至段落００１２のいずれか一つに記載の遠隔操作式排水栓装置である。
【発明の効果】
【００１５】
請求項１乃至請求項４に記載の本発明は、メカボックス３に支持軸３１を緩衝するショックアブソーバー４を内蔵したことから、弁蓋６に過大な応力が加わってもショックアブソーバー４で衝撃を吸収することができるので、メカボックス３内部を破損したり故障したりすることがなくなった。
請求項５に記載の本発明は、支持軸３１を常時下方へと付勢するリターンスプリング５を前記メカボックス３内に配置すると共に、当該インナーワイヤ７２先端と、支持軸３１もしくはガイド軸３３もしくは支持軸ケース３２を切り離して接続したことにより、支持軸３１に加わる衝撃が直接的にレリースワイヤ７に作用することがなく、インナーワイヤ７２の座屈を防止することができるようになった。
請求項６に記載の本発明は、インナーワイヤ７２先端と、支持軸３１もしくはガイド軸３３もしくは支持軸ケース３２３２のいずれか一つとを連結して接続したことにより、レリースワイヤ７のリターンスプリング５の戻り力によって支持軸３１を引っ張り下降させることができるようになった。したがってリターンスプリング５をメカボックス３内部に配置しなくても良くなり、部材点数減少によるコストダウンがはかれるようになった。
【図面の簡単な説明】
【００１６】
【図１】図９のＡ部拡大図であって、第１実施例を示す断面図である。（ａ）弁蓋が閉栓時（ｂ）弁蓋が開栓時（ｃ）衝撃緩衝時
【図２】図９のＡ部拡大図であって、第２実施例を示す断面図である。（ａ）弁蓋が閉栓時（ｂ）弁蓋が開栓時（ｃ）衝撃緩衝時
【図３】図９のＡ部拡大図であって、第３実施例を示す断面図である。（ａ）弁蓋が閉栓時（ｂ）弁蓋が開栓時（ｃ）衝撃緩衝時
【図４】図９のＡ部拡大図であって、その他の実施例を示す断面図である。（ａ）弁蓋が閉栓時（ｂ）弁蓋が開栓時（ｃ）衝撃緩衝時
【図５】図９のＡ部拡大図であって、その他の実施例を示す断面図である。（ａ）弁蓋が閉栓時（ｂ）弁蓋が開栓時（ｃ）衝撃緩衝時
【図６】図９のＡ部拡大図であって、その他の実施例を示す断面図である。（ａ）弁蓋が閉栓時（ｂ）弁蓋が開栓時（ｃ）衝撃緩衝時
【図７】図９のＡ部拡大図であって、その他の実施例を示す断面図である。（ａ）弁蓋が閉栓時（ｂ）弁蓋が開栓時（ｃ）衝撃緩衝時
【図８】図７のＡ−Ａ断面図である。
【図９】その他の実施例を示す、メカボックスのＡ−Ａ断面図である。
【図１０】遠隔操作式排水栓装置の施工断面図である。
【図１１】従来例を示す断面図である。
【発明を実施するための形態】
【００１７】
（第１実施例）本実施例の遠隔操作式排水栓装置は、図１０に示したような浴槽や洗面台などの槽体１の排水口２に弁体を設け、槽体１の上縁に構成された操作部８の操作により弁体を上下動させ、槽体１内の排水を排水／止水する遠隔操作式排水栓装置である。
この遠隔操作式排水栓装置は以下のようである。
浴槽としての槽体１と、排水口２と、排水栓２１と、弁蓋６と、操作部８と、メカボックス３と、レリースワイヤ７と、から構成される。
槽体１は箱体であって、底部に排水口２を開口して成る。また本従来例では浴室に設けられる浴槽を槽体１とする。
排水口２は、浴槽底部に開口された孔であって、当該排水口２より槽体１内の排水を行う。また、後記する排水栓２１を備える。
排水栓２１は、外周にネジを螺設し、かつ上端に外側方向へ飛び出すフランジを有した部材であり、前記弁蓋６の着座面を構成する。また、当該排水栓２１は排水用配管部材である例えばエルボ部材や排水トラップなどを介して、最終的には下水道管へ接続される。
弁蓋６は、排水口２及び排水栓２１を閉栓／開栓する部材であって、弁蓋６が排水栓２１に着座すれば排水口２を閉栓し、弁蓋６が上昇すれば排水口２が開栓するようになっている。
操作部８は、浴槽の上縁部に構成される押しボタンであって、使用者が適宜押動操作を行うことにより前記弁蓋６が上昇／下降するように構成される。また、操作部には、後述するレリースワイヤ７のインナーワイヤ７２の操作部８の操作による進行を退行させる為のリターンスプリング５を内蔵する。このリターンスプリング５は、常時伸張方向へ付勢しており、インナーワイヤ７２を常時操作部８側へ引き戻すよう備えられる。
レリースワイヤ７は、操作部８から排水口２まで接続される部材であって、内部が中空の可撓管のアウターチューブ７１と、アウターチューブ７１内を進退自在に配置される金属コイル線のインナーワイヤ７２と、から構成される。尚、アウターチューブ７１は操作部８から後記するメカボックス３下端まで接続され、インナーワイヤ７２は操作部８の軸から後記するメカボックス３内の支持軸ケース３２３２下端の窪み３４に当接して構成される。また、インナーワイヤ７２の戻り専用のリターンスプリング５をレリースワイヤ７内部に内蔵している。
メカボックス３は、内部に支持軸３１と、支持軸ケース３２３２と、ロック機構と、ショックアブソーバー４と、リターンスプリング５を内蔵している。また、当該メカボックス３は上下面に開口が設けられる円筒状の箱体である。また、メカボックス３の上面の開口は支持軸３１が挿通し、下面の開口はレリースワイヤ７が挿通する。
支持軸３１は、メカボックス３内に上下動自在に配置され、上端は弁蓋６に接続される。このとき、メカボックス３の上面の開口から支持軸３１は上下動可能に挿通するようになっている。その下端は外側方向へ向けて凸出する抜脱不可用のフランジが構成され、後記する支持軸ケース３２にその下端が内蔵される。
支持軸ケース３２３２は、前記支持軸３１をガイドするための円筒状ケース体であって、外周には後記ロック機構の回転カム３５は構成される。また、後述のショックアブソーバー４を内蔵し、その下端はインナーワイヤ７２先端が進行した際に当接する窪み３４を構成する。
ロック機構は、支持軸３１の上昇／下降をロックするロック機構を内蔵しており、本実施例ではボールペン芯のノック構造で採用されるスラストロック機構が内蔵される。当該スラストロック機構は、メカボックス３内周に切り溝及び回転カム３５面、メカボックス３内面の上方に構成されたカム面とが構成される。当該スラストロック機構の作動に関しては、従来より公知のため省略する。
ショックアブソーバー４は、前記支持軸ケース３２内に内蔵される常時伸張方向へ付勢するスプリングであって、インナーワイヤ７２の上昇の応力では作用しないが、支持軸３１に加えられる多大な応力（つまり、弁蓋６に加えられる過大な応力）には作用して圧縮する程度の付勢力を備える。また、ショックアブソーバー４の上端は支持軸３１に当接する。
リターンスプリング５は、メカボックス３内に内蔵される支持軸３１の戻り用スプリングである。常時伸張方向へ付勢する付勢力が備えられている。このリターンスプリング５の付勢力は、ショックアブソーバー４の付勢力より小さい。本実施例では、支持軸３１外周に設置したうえで、支持軸ケース３２上端とメカボックス３上面の間に内蔵している。このリターンスプリング５をメカボックス３内部に内蔵しているため、リターンスプリング５の力で支持軸３１を下降することができ、インナーワイヤ７２を支持軸３１に接続せずに縁切りして配置することができる。また、メカボックス３のカム機構により支持軸３１がロックされた際にはリターンスプリング５は圧縮され、ロックが解除された際には当リターンスプリング５の付勢力により圧縮が弾発されて支持軸３１が下降することとなる。
【００１８】
前記した遠隔操作式排水栓装置は以下のように作動する。
図１（ａ）のように弁蓋６が排水口２に着座している際に、使用者が操作部８を押動すると、操作部８の操作に併せてレリースワイヤ７のインナーワイヤ７２がアウターチューブ７１内を進行し、排水口２のメカボックス３内の支持軸ケース３２の窪み３４に当接する。すると支持軸ケース３２と支持軸３１はインナーワイヤ７２の進行に併せて上昇し、スラストロック機構が支持軸３１の上昇をロックする。このとき、ショックアブソーバー４のスプリングはこの動作に加わる応力程度では全く作用しないため、支持軸ケース３２の上昇に合わせて支持軸３１を上昇させる動きとなる。そうすると図１（ｂ）に示すように支持軸３１の上昇に併せて支持軸３１上端に接続された弁蓋６が上昇することになり、排水口２が開栓する。またこのとき、メカボックス３内のリターンスプリング５は支持軸３１が上昇した分圧縮されることとなる。使用者が操作部８の押動をやめると、レリースワイヤ７のリターンスプリング５が作用し、インナーワイヤ７２が後退してインナーワイヤ７２先端と支持軸ケース３２の当接が解除される。
また、更に使用者が操作部８を押動すると、操作部８からレリースワイヤ７のインナーワイヤ７２が少し進行し、インナーワイヤ７２が支持軸ケース３２の窪み３４に当接し支持軸ケース３２と支持軸３１が少し上昇、スラストロック機構のロックを解除する。ロックが解除されるとメカボックス３内の圧縮されていたリターンスプリング５が外側方向へ弾発して付勢し、リターンスプリング５の付勢力により、支持軸３１と支持軸ケース３２を下降させることができる。支持軸３１が下降すると、図１（ａ）に示すように弁蓋６も併せて下降して排水栓２１（排水口２）に着座する。こうして排水口２は弁蓋６により閉栓することとなる。使用者が操作部８の押動をやめると、レリースワイヤ７のリターンスプリング５が作用し、インナーワイヤ７２が後退してインナーワイヤ７２先端と支持軸ケース３２の当接が解除される。
また、当該操作の繰り返しにより弁蓋６の上下動が繰り返される。
【００１９】
前記した本実施例の遠隔操作式排水栓装置は以下のような排水の流れである。
弁蓋６が下降して排水栓２１に着座し、且つ排水口２を閉栓している時は、排水口２が閉栓されているので浴槽内に排水が貯水される。また、この状態から使用者が操作部８を操作すると排水口２の弁蓋６が上昇し、排水口２が開栓する。すると開栓した排水口２から浴槽内の排水は排水されて、浴槽下に配置されるエルボ部材や、洗い場に配置される排水トラップを介して最終的には下水管へと排水される。
このようにして浴槽内の排水は下水へと排水される。
【００２０】
上記の遠隔操作式排水栓装置のショックアブソーバー４は以下のように作用する。
開栓時、弁蓋６を踏むなどして弁蓋６に過大な応力が加わると、支持軸３１に過大な応力が掛かりロック機構に応力が加わる前に、支持軸ケース３２内に内蔵しているショックアブソーバー４に応力を伝達する。そうするとショックアブソーバー４が圧縮し、図１（ｃ）に示すように支持軸３１が下降して支持軸ケース３２内に内包される。すると、支持軸３１に接続された弁蓋６も支持軸３１が下降した分下降し、弁蓋６に加わった応力・衝撃を吸収することができる。そうすると、ロック機構である回転カム３５を備えた支持軸ケース３２は下降せずに支持軸３１のみ下降することができるので、ロック機構を破損することなくショックアブソーバー４によって衝撃を吸収することができる。
また、応力が無くなると、ショックアブソーバー４内部のスプリングの圧縮が開放されて上下方向に弾発し付勢する。するとショックアブソーバー４の付勢力により支持軸３１が上昇し併せて弁蓋６も上昇でき、図１（ｂ）に示すように簡単に開栓状態に復帰することができる。
【００２１】
（第２実施例）本実施例の遠隔操作式排水栓装置は、図１０に示したような浴槽や洗面台などの槽体１の排水口２に弁体を設け、槽体１の上縁に構成された操作部８の操作により弁体を上下動させ、槽体１内の排水を排水／止水する遠隔操作式排水栓装置がよく知られている。
この遠隔操作式排水栓装置は以下のようである。
浴槽としての槽体１と、排水口２と、排水栓２１と、弁蓋６と、操作部８と、メカボックス３と、レリースワイヤ７と、から構成される。
また、本実施例のうち槽体１、排水口２、排水栓２１、弁蓋６、操作部８に関しては上記段落００１７に記載の実施例と同一のため省略する。
レリースワイヤ７は、操作部８から排水口２まで接続される部材であって、内部が中空の可撓管のアウターチューブ７１と、アウターチューブ７１内を進退自在に配置される金属コイル線のインナーワイヤ７２と、から構成される。尚、アウターチューブ７１は操作部８から後記するメカボックス３下端まで接続され、インナーワイヤ７２は操作部８の軸から後記するメカボックス３内のガイド軸３３に当接して構成される。
メカボックス３は、内部に支持軸３１と、ガイド軸３３と、支持軸ケース３２と、ロック機構と、ショックアブソーバー４と、リターンスプリング５を内蔵している。また、当該メカボックス３は上下面に開口が設けられる円筒状の箱体である。メカボックス３の上面の開口は支持軸３１が挿通され、下面の開口はレリースワイヤ７が挿通される。
支持軸３１は、メカボックス３内に上下動自在に配置され、上端は弁蓋６に接続される、内部が中空の円筒部材である。このとき、メカボックス３の上面の開口から支持軸３１は上下動可能に挿通される。その下端は外側方向へ向けて凸出する抜脱不可用のフランジが構成され、後記する支持軸ケース３２にその下端が内蔵される。
ガイド軸３３は、後述する支持軸ケース３２内に内蔵される内部が中空の円筒部材であって、上端の一部は支持軸３１の内部にかかるよう配置される。また、ガイド軸３３内部には、レリースワイヤ７端部が配置されるようになっており、インナーワイヤ７２の先端が進行した際には、ガイド軸３３の内部の上面に当接するよう配置されている。また、衝撃吸収時には、当該ガイド軸３３は支持軸３１内部に収容（内包）される。
支持軸ケース３２は、前記支持軸３１とガイド軸３３をガイドするための円筒状ケース体であって、外周には後記ロック機構の回転カム３５が構成される。また、レリースワイヤ７の挿通用開口を下面に開口構成する。
ロック機構は、支持軸３１の上昇／下降をロックするロック機構を内蔵しており、本実施例ではボールペン芯のノック構造で採用されるスラストロック機構が内蔵される。当該スラストロック機構は、メカボックス３内周に切り溝及び回転カム面、メカボックス３内面の上方に構成された回転カム面とが構成される。当該スラストロック機構の作動に関しては、従来より公知のため省略する。
ショックアブソーバー４は、前記支持軸３１に内蔵されて、ショックアブソーバー４の下側がガイド軸３３上面に載置されて、実質上常時支持軸３１内に収納配置されるスプリングである。また常時伸張方向へ付勢するスプリングであって、インナーワイヤ７２の上昇の応力では作用しないが、支持軸３１に加えられる多大な応力（つまり、弁蓋６に加えられる過大な応力）には作用して圧縮する程度の付勢力を備える。また、ショックアブソーバー４の上端は支持軸３１に当接する。
リターンスプリング５は、メカボックス３内に内蔵される支持軸３１の戻り用スプリングである。常時伸張方向へ付勢する付勢力が備えられている。このリターンスプリング５の付勢力は、ショックアブソーバー４の付勢力より小さい。本実施例では、支持軸３１外周に設置したうえで、支持軸ケース３２上端とメカボックス３上面の間に内蔵している。このリターンスプリング５をメカボックス３内部に内蔵しているため、リターンスプリング５の力で支持軸３１を下降することができ、インナーワイヤ７２を支持軸３１に接続せずに縁切りして配置することができる。また、メカボックス３のカム機構により支持軸３１がロックされた際にはリターンスプリング５は圧縮され、ロックが解除された際には当リターンスプリング５の付勢力により圧縮が弾発されて支持軸３１が下降することとなる。
【００２２】
前記した遠隔操作式排水栓装置は以下のように作動する。
図２（ａ）のように弁蓋６が排水口２に着座している際に、使用者が操作部８を押動すると、操作部８の操作に併せてレリースワイヤ７のインナーワイヤ７２がアウターチューブ７１内を進行し、ガイド軸３３内部の天井部分に当接する。すると支持軸ケース３２と支持軸３１、ガイド軸３３はインナーワイヤ７２の進行に併せて上昇し、スラストロック機構が支持軸３１の上昇をロックする。このとき、ショックアブソーバー４のスプリングはこの動作に加わる応力程度では全く作用しないため、ガイド軸３３の上昇に合わせて支持軸３１を上昇させる動きとなる。そうすると図２（ｂ）に示すように支持軸３１の上昇に併せて支持軸３１上端に接続された弁蓋６が上昇することになり、排水口２が開栓する。またこのとき、メカボックス３内のリターンスプリング５は支持軸３１が上昇した分圧縮されることとなる。使用者が操作部８の押動をやめると、レリースワイヤ７のリターンスプリング５が作用し、インナーワイヤ７２が後退してインナーワイヤ７２先端とガイド軸３３の当接が解除される。
また、更に使用者が操作部８を押動すると、操作部８からレリースワイヤ７のインナーワイヤ７２が少し進行し、インナーワイヤ７２がガイド軸３３の内部天井に当接し支持軸ケース３２、ガイド軸３３、支持軸３１が少し上昇、スラストロック機構のロックを解除する。ロックが解除されるとメカボックス３内の圧縮されていたリターンスプリング５が外側方向へ弾発して付勢し、リターンスプリング５の付勢力により、支持軸３１、ガイド軸３３、支持軸ケース３２を下降させることができる。支持軸３１が下降すると、図２（ａ）に示すように弁蓋６も併せて下降して排水栓２１（排水口２）に着座する。こうして排水口２は弁蓋６により閉栓することとなる。使用者が操作部８の押動をやめると、レリースワイヤ７のリターンスプリング５が作用し、インナーワイヤ７２が後退してインナーワイヤ７２先端と支持軸ケース３２の当接が解除される。
また、当該操作の繰り返しにより弁蓋６の上下動が繰り返される。
また、本実施例の遠隔操作式排水栓装置の排水の流れは段落００１９と同一のため省略する。
【００２３】
上記の遠隔操作式排水栓装置のショックアブソーバー４は以下のように作用する。
開栓時、弁蓋６を踏むなどして弁蓋６に過大な応力が加わると、支持軸３１に過大な応力が掛かりロック機構に応力が加わる前に、支持軸３１内に内蔵しているショックアブソーバー４に応力を伝達する。そうするとショックアブソーバー４がガイド軸３３上面と支持軸３１内部の天井間で圧縮し、図２（ｃ）に示すように支持軸３１が下降してガイド軸３３をその内部に内包する。すると、支持軸３１に接続された弁蓋６も支持軸３１が下降した分下降し、弁蓋６に加わった応力・衝撃を吸収することができる。そうすると、ロック機構である回転カム３５を備えた支持軸ケース３２は下降せずに支持軸３１のみ下降することができるので、ロック機構を破損することなくショックアブソーバー４によって衝撃を吸収することができる。
また、応力が無くなると、ショックアブソーバー４内部のスプリングの圧縮が開放されて上下方向に弾発し付勢する。するとショックアブソーバー４の付勢力により支持軸３１が上昇し併せて弁蓋６も上昇でき、図２（ｂ）に示すように簡単に開栓状態に復帰することができる。
【００２４】
（第３実施例）本実施例の遠隔操作式排水栓装置は、図１０に示したような浴槽や洗面台などの槽体１の排水口２に弁体を設け、槽体１の上縁に構成された操作部８の操作により弁体を上下動させ、槽体１内の排水を排水／止水する遠隔操作式排水栓装置がよく知られている。
この遠隔操作式排水栓装置は以下のようである。
浴槽としての槽体１と、排水口２と、排水栓２１と、弁蓋６と、操作部８と、メカボックス３と、レリースワイヤ７と、から構成される。
また、本実施例のうち槽体１、排水口２、排水栓２１、弁蓋６、操作部８に関しては上記段落００１７に記載の実施例と同一のため省略する。
レリースワイヤ７は、操作部８から排水口２まで接続される部材であって、内部が中空の可撓管のアウターチューブ７１と、アウターチューブ７１内を進退自在に配置される金属コイル線のインナーワイヤ７２と、から構成される。尚、アウターチューブ７１は操作部８から後記するメカボックス３下端まで接続され、インナーワイヤ７２は操作部８の軸から後記するメカボックス３内の支持軸ケース３２下端の窪み３４に当接して構成される。また、インナーワイヤ７２の戻り専用のリターンスプリング５をレリースワイヤ７内部に内蔵している。
メカボックス３は、内部に支持軸３１と、支持軸ケース３２と、ロック機構と、ショックアブソーバー４と、リターンスプリング５を内蔵している。また、当該メカボックス３は上下面に開口が設けられる円筒状の箱体である。メカボックス３の上面の開口は支持軸３１が挿通され、下面の開口はレリースワイヤ７が挿通される。
支持軸３１は、メカボックス３内に上下動自在に配置され、上端は弁蓋６に接続される、内部が中空の円筒部材である。このとき、メカボックス３の上面の開口から支持軸３１は上下動可能に挿通される。その下端は外側方向へ向けて凸出する抜脱不可用のフランジが構成され、後記する支持軸ケース３２にその下端が内蔵される。
支持軸ケース３２は、前記支持軸３１をガイドするための円筒状ケース体であって、外周には後記ロック機構の回転カム３５が構成される。また、下面にはレリースワイヤ７のインナーワイヤ７２が進行した際に当接する窪み３４を構成する。
ロック機構は、支持軸３１の上昇／下降をロックするロック機構を内蔵しており、本実施例ではボールペン芯のノック構造で採用されるスラストロック機構が内蔵される。当該スラストロック機構は、メカボックス３内周に切り溝及び回転カム面、メカボックス３内面の上方に構成された回転カム面とが構成される。当該スラストロック機構の作動に関しては、従来より公知のため省略する。
ショックアブソーバー４は、前記支持軸３１から支持軸ケース３２内に内蔵されて、ショックアブソーバー４の下側が支持軸ケース３２内部底面に載置されて、上端は支持軸３１内部天井に押し当てるように、常時伸張方向へ付勢するスプリングである。またインナーワイヤ７２の上昇の応力では作用しないが、支持軸３１に加えられる多大な応力（つまり、弁蓋６に加えられる過大な応力）には作用して圧縮する程度の付勢力を備える。
リターンスプリング５は、メカボックス３内に内蔵される支持軸３１の戻り用スプリングである。常時伸張方向へ付勢する付勢力が備えられている。このリターンスプリング５の付勢力は、ショックアブソーバー４の付勢力より小さい。本実施例では、支持軸３１外周に設置したうえで、支持軸ケース３２上端とメカボックス３上面の間に内蔵している。このリターンスプリング５をメカボックス３内部に内蔵しているため、リターンスプリング５の力で支持軸３１を下降することができ、インナーワイヤ７２を支持軸３１に接続せずに縁切りして配置することができる。また、メカボックス３のカム機構により支持軸３１がロックされた際にはリターンスプリング５は圧縮され、ロックが解除された際には当リターンスプリング５の付勢力により圧縮が弾発されて支持軸３１が下降することとなる。
【００２５】
前記した遠隔操作式排水栓装置は以下のように作動する。
図３（ａ）のように弁蓋６が排水口２に着座している際に、使用者が操作部８を押動すると、操作部８の操作に併せてレリースワイヤ７のインナーワイヤ７２がアウターチューブ７１内を進行し、支持軸ケース３２の窪み３４に当接する。すると支持軸ケース３２と支持軸３１はインナーワイヤ７２の進行に併せて上昇し、スラストロック機構が支持軸３１の上昇をロックする。このとき、ショックアブソーバー４のスプリングはこの動作に加わる応力程度では全く作用しないため、支持軸ケース３２の上昇に合わせて支持軸３１を上昇させる動きとなる。そうすると図３（ｂ）に示すように支持軸３１の上昇に併せて支持軸３１上端に接続された弁蓋６が上昇することになり、排水口２が開栓する。またこのとき、メカボックス３内のリターンスプリング５は支持軸３１が上昇した分圧縮されることとなる。使用者が操作部８の押動をやめると、レリースワイヤ７のリターンスプリング５が作用し、インナーワイヤ７２が後退してインナーワイヤ７２先端と支持軸ケース３２の窪み３４との当接が解除される。
また、更に使用者が操作部８を押動すると、操作部８からレリースワイヤ７のインナーワイヤ７２が少し進行し、インナーワイヤ７２が支持軸ケース３２の窪み３４に当接し支持軸ケース３２、支持軸３１が少し上昇、スラストロック機構のロックを解除する。ロックが解除されるとメカボックス３内の圧縮されていたリターンスプリング５が外側方向へ弾発して付勢し、リターンスプリング５の付勢力により、支持軸３１、支持軸ケース３２を下降させることができる。支持軸３１が下降すると、図３（ａ）に示すように弁蓋６も併せて下降して排水栓２１（排水口２）に着座する。こうして排水口２は弁蓋６により閉栓することとなる。使用者が操作部８の押動をやめると、レリースワイヤ７のリターンスプリング５が作用し、インナーワイヤ７２が後退してインナーワイヤ７２先端と支持軸ケース３２の当接が解除される。
また、当該操作の繰り返しにより弁蓋６の上下動が繰り返される。
また、本実施例の遠隔操作式排水栓装置の排水の流れは段落００１９と同一のため省略する。
【００２６】
上記の遠隔操作式排水栓装置のショックアブソーバー４は以下のように作用する。
開栓時、弁蓋６を踏むなどして弁蓋６に過大な応力が加わると、支持軸３１に過大な応力が掛かりロック機構に応力が加わる前に、支持軸３１と支持軸ケース３２内に内蔵しているショックアブソーバー４に応力を伝達する。そうするとショックアブソーバー４が支持軸３１内部の天井と支持軸ケース３２内の下面間で圧縮し、図３（ｃ）に示すように支持軸３１が下降して支持軸ケース３２内に内包する。すると、支持軸３１に接続された弁蓋６も支持軸３１が下降した分下降し、弁蓋６に加わった応力・衝撃を吸収することができる。そうすると、ロック機構である回転カム３５歯を備えた支持軸ケース３２は下降せずに支持軸３１のみ下降することができるので、ロック機構を破損することなくショックアブソーバー４によって衝撃を吸収することができる。
また、応力が無くなると、ショックアブソーバー４内部のスプリングの圧縮が開放されて上下方向に弾発し付勢する。するとショックアブソーバー４の付勢力により支持軸３１が上昇し併せて弁蓋６も上昇でき、図３（ｂ）に示すように簡単に開栓状態に復帰することができる。
【００２７】
また、本発明の遠隔操作式排水栓装置の実施例は上記のようであるが、当該実施例に限定されるものではなく、適宜請求項に記載の範囲内において変更は可能である。
例えば、第２実施例においてはショックアブソーバー４の配置を支持軸３１とガイド軸３３間に配置しているが、図４（ａ）乃至図４（ｃ）に示したように支持軸３１下端と支持軸ケース３２内底面間に配置してもかまわない。
また、上記実施例ではインナーワイヤ７２先端と支持軸３１、支持軸ケース３２、ガイド軸３３下端を切り離して構成しているが、図５（ａ）乃至図５（ｃ）に示すようにインナーワイヤ７２先端と支持軸３１、支持軸ケース３２、ガイド軸３３下端のいずれかを直接的に連結接続してもかまわない。このように構成すれば、レリースワイヤ７のリターンスプリング５だけ配置すれば良く、メカボックス３内部に支持軸３１のリターンスプリング５を構成しなくても良くなる。
また、上記実施例では、リターンスプリング５をメカボックス３内に配置しているが、図６（ａ）乃至図６（ｃ）に示すように、支持軸ケース３２下端にスプリング軸を複数もしくは単数構成し、さらにスプリング軸をメカボックス３下面から上下動自在に挿通するように配置し、当該スプリング軸にリターンスプリング５を配置してもかまわない。このようにすれば、リターンスプリング５分の高さ幅をメカボックス３内に配置せずにすむため、より排水口２の高さを低くすることができ、低床化をはかることができる。
また、上記実施例では、リターンスプリング５をメカボックス３内に配置しているが、図７（ａ）乃至図７（ｃ）及び図８に示すように、支持軸ケース３２の底部を、ギアの形状に合わせて一部凸出して構成し、そこの箇所にリターンスプリング５を配置してもかまわない。このようにすれば、リターンスプリング５分の高さ幅を低くできる。従ってより排水口２の高さを低くすることができ、低床化をはかることができる。
また、図示しないがリターンスプリング５を、下方に向かってすぼまるテーパースプリングと呼ばれるもので構成しても良い。このようにテーパースプリングを備えれば、通常の円筒状のスプリングと同等の付勢力を有しながらも、高さ幅を低くすることができるので、排水口２の高さをより低くすることができる。
また、図９はその他の実施例のメカボックス３の断面図であるが、メカボックス内のギア構造外周にリターンスプリング５を収納する空間を構成することも可能である。当該構成にすれば、リターンスプリング５分の高さをわざわざ別に構成しなくても良いことから、排水口２の高さ幅を低くすることができる。
【符号の説明】
【００２８】
１    槽体
２    排水口
２１  排水栓
３    メカボックス
３１  支持軸
３２  支持軸ケース３２
３３  ガイド軸
３４  窪み３４
３５  回転カム
４    ショックアブソーバー４
５    リターンスプリング５
６    弁蓋６
７    レリースワイヤ７
８    操作部
【図１】
0005906482.tif 000002
【図２】
0005906482.tif 000003
【図３】
0005906482.tif 000004
【図４】
0005906482.tif 000005
【図５】
0005906482.tif 000006
【図６】
0005906482.tif 000007
【図７】
0005906482.tif 000008
【図８】
0005906482.tif 000009
【図９】
0005906482.tif 000010
【図１０】
0005906482.tif 000011
【図１１】
0005906482.tif 000012